(57)【要約】  時計回りと反時計回りのトリマーヘッドのどちらにも使え、双方向分配スプールの使用からなるトリマーヘッド。トリマーヘッドとスプールを貫通する通路の種々の位置は、ラチェット機構の構成要素の種々の位置と共に示され、トリマーヘッドへのトリマーラインの巻き付け及び地面へのトリマーヘッドノブの「バンピング」中に分配されるライン量の制限を許可する。構成要素の徹底した配置により、トリマーヘッドはラインをスプールの単一方向に巻かれ、トリマーヘッドがトリマーヘッドハウジングに対してスプールを増速又は減速させて回転する方向にかかわらずラインを分配して、トリマーヘッドを回転させるトリマー装置駆動シャフトの回転方向と無関係でラインを分配させる。
2016538857.tif 000002
【特許請求の範囲】
【請求項１】
時計回り駆動方向装置を備えるトリマー装置及び反時計回り駆動方向からなるトリマー装置のどちらか一方に選択的に取り付けるものであって、
トリマーヘッドハウジング内に回転可能に取り付けられたスプールからなるトリマーヘッドと、前記スプールがスプールを通り抜け且つ第１の巻き取り方向のスプール周りにトリマーラインを巻き付ける少なくとも１つのチャンバを備え、
前記トリマーヘッドは、前記スプールからハウジングの外側の領域まで貫通するトリマーラインの端部を受け止める一対のアイレットを備え、
前記ハウジングに対する第１の軸位置から前記ハウジングに対する第２の軸位置まで前記スプールを移動させる前記トリマーヘッドハウジングに摺動可能に連結される軌道ノブと、
前記トリマーヘッドは、前記トリマーヘッドがハウジングの外側からトリマーラインを前記スプール上に第１の巻き取り方向に巻き取れるように手動で前記軌道ノブを回転させるが第１の巻き取りの反対の回転方向への回転を防止するように、第１の軸位置にあるとき第１の巻き取りモード間で選択的に切り替え可能なラチェット機構を備え、そして
前記トリマーヘッドが一対のアイレットを通って一定長さのトリマーラインを分配する第２の軸位置にあるとき第２の双方向ライン分配モードを備えることを特徴とする双方向操作可能トリマーヘッド。
【請求項２】
前記ラチェット機構が第２の双方向ライン配出モードにあるとき、前記トリマーラインがトリマー装置駆動方向の回転と反対方向に巻かれると、前記スプールは前記トリマーハウジングに対して減速して一対のアイレットからトリマーラインを分配し、前記トリマーラインがトリマー装置駆動方向の回転と同じ方向に巻き取られると、前記スプールは前記トリマーハウジングに対して増速してアイレットからトリマーラインを分配することを特徴とする請求項１に記載の双方向操作可能トリマーヘッド。
【請求項３】
前記スプールがその内部に、第１のモジュールが前記スプール内にあるとき前記スプールをラジアル方向に貫通させて前記トリマーラインを送り、そして第２のモジュールが前記スプール内にあるとき非ラジアル方向に前記スプールルートで前記トリマーラインを送る交換可能なモジュールを備えていることを特徴とする請求項１に記載の双方向操作可能トリマーヘッド。
【請求項４】
前記モジュールが迅速接続機構により前記スプールに脱着可能に取り付けられていることを特徴とする請求項３に記載の双方向操作可能トリマーヘッド。
【請求項５】
前記スプールがスプール貯蔵範囲を定めるトップフランジとボトムフランジとからなり、かつ前記トリマーラインが前記スプールのトップフランジ内にある通路内で前記スプールを通り抜けていることを特徴とする請求項３に記載の双方向操作可能トリマーヘッド。
【請求項６】
前記スプールがスプール貯蔵範囲を定めるトップフランジとボトムフランジとからなり、かつ前記トリマーラインが前記スプールのボトムフランジ内にある通路内で前記スプールを通り抜けていることを特徴とする請求項３に記載の双方向操作可能トリマーヘッド。
【請求項７】
前記スプールがスプール貯蔵範囲を定めるトップフランジとボトムフランジとからなり、かつ前記トリマーラインが前記スプールの中央フランジ内にある通路内で前記スプールを通り抜けていることを特徴とする請求項３に記載の双方向操作可能トリマーヘッド。
【請求項８】
活性化機構が前記スプールに協同するスプラインと活性化機構内のリッジにより前記スプールに回転しないように連結されていることを特徴とする請求項１に記載の双方向操作可能トリマーヘッド。
【請求項９】
活性化機構が前記活性化機構に協同するスプラインと前記スプール内のリッジにより前記スプールに回転しないように連結されていることを特徴とする請求項１に記載の双方向操作可能トリマーヘッド。
【請求項１０】
少なくとも１つのチャンバが、その下端でスプールの第１のフランジにより、そしてその上端でトリマーヘッドハウジングの壁により、定められていることを特徴とする請求項１に記載の双方向操作可能トリマーヘッド。
【請求項１１】
スプールが、上端でスプールの第１のフランジにより、そして下端でトリマーヘッドハウジングの壁により、定められた第２のチャンバからなることを特徴とする請求項１０に記載の双方向操作可能トリマーヘッド。
【請求項１２】
少なくとも１つのチャンバが、その上端でスプールの第１のフランジにより、そしてその下端でトリマーヘッドハウジングの壁により、定められていることを特徴とする請求項１に記載の双方向操作可能トリマーヘッド。
【請求項１３】
少なくとも１つのチャンバが、その上端でスプールの第１のフランジにより、そしてその下端で起動ノブのシェルフにより、定められていることを特徴とする請求項１に記載の双方向操作可能トリマーヘッド。
【請求項１４】
前記スプールは、上部フランジと下部フランジ間に閉ざされた少なくとも１つのチャンバ内にあり、前記スプールから前記チャンバに延びるスポークからなり、
前記トリマーラインは、前記スポーク内の通路を通り抜け、通路が少なくとも１つのチャンバに通じていることを特徴とする請求項１に記載の双方向操作可能トリマーヘッド。
【請求項１５】
双方向に操作可能なトリマーヘッドにトリマーヘッドハウジング内に回転可能に取り付けられたスプールを設け、前記スプールはスプールを通り抜け且つ第１の巻き取り方向のスプール周りにトリマーラインを巻き付ける少なくとも１つのチャンバを備えるものとし、
双方向に操作可能なトリマーヘッドを第１の巻き取り方向と同じ方向に駆動方向装置を備えるトリマー装置に取り付け、
前記トリマーヘッドに前記スプールからハウジングの外側領域に貫通するトリマーラインの端部を受け取る一対のアイレットを設け、
トリマーラインを前記トリマーヘッドを介して前記アイレットの１つの経路で送り、そして一対の２番目のアイレットに送り出し、
前記ハウジングに対する第１の軸位置から前記ハウジングに対する第２の軸位置まで前記スプールを移動させる前記トリマーヘッドハウジングに摺動可能に連結される軌道ノブを設け、
前記トリマーヘッドに、前記トリマーヘッドがハウジングの外側からトリマーラインを前記スプール上に第１の巻き取り方向に巻き取れるように手動で前記軌道ノブを回転させるが第１の巻き取りの反対の回転方向への回転を防止するように、第１の軸位置にあるとき第１の巻き取りモード間で選択的に切り替え可能なラチェット機構を設け、そして
前記トリマーヘッドに一対のアイレットを通って一定長さのトリマーラインを分配する第２の軸位置にあるとき第２の双方向ライン分配モードを設け、
第１の巻き取り方向に起動ノブを動かしてスプールの少なくとも１つのチャンバにトリマーラインを巻きつけ、
トリマー装置を操作してトリマーヘッドハウジングを第１の巻き取り方向に回転させ、
少なくとも１度起動ノブを起動させてラチェット機構を第２の双方向ライン分配モードに切り換え、トリマーヘッドハウジングをスプールに対して減速させ、起動ノブの各起動中一対のアイレットからスプールに巻き付けたラインを分配することを特徴とする双方向操作可能トリマーヘッドからトリマーラインを分配する方法。
【請求項１６】
起動ノブがスプール及びトリマーヘッドをゆっくりと起動させた後スプールがスプールに引っ張るトリマーラインにかかる引張力によりハウジングより速く加速することを特徴とする双方向操作可能トリマーヘッドからトリマーラインを分配する方法。
【発明の詳細な説明】
【技術分野】
【０００１】
概して、本発明はストリングトリマー及びその回転ヘッドに関するものである。更に詳しくは、本発明は必要なときに新しい長さのトリマーラインを巻き取り、保持し、分配するストリングトリマーヘッド内にある機構に関するものである。
【背景技術】
【０００２】
ストリングトリマー装置は、四半世紀にわたって市販されている。この間、ストリングトリマー装置の設計、特にトリマーヘッドにはたくさんのバリエーションがあった。
【０００３】
トリマーヘッドは、トリマー装置の駆動軸によって回転するストリングトリマー装置の一部である。トリマーヘッドは、トリマーヘッドと共に回転するトリマーラインの長さを保持している。回転するトリマーラインは、回転しながら草木と接触して切断する。
【０００４】
ストリングトリマー装置の構造、型及び製造者に応じて、トリマーヘッドは、作動中に時計回り又は反時計回りに回転する。トリマーヘッドは、ストリングトリマー装置に幾らかの延長部分を含むストリングトリマーの駆動軸の起点にボルト又はナットで固定される。ボルト又はナットのねじ切り方向は、トリマーヘッドが作動中にストリングトリマーから抜けないように駆動軸の回転方向によって決まる。現在の小売市場における割合は、時計回りと反時計回りのストリングトリマー装置で略平等に分かれている。
【０００５】
市場には様々なトリマーヘッドがある。従来のトリマーヘッドの最も一般的な型は、バンプ・フィードトリマーヘッドとオートマチック・フィードトリマーヘッドである。両タイプのトリマーヘッドは、巻かれたトリマーラインを保管しておくインターナルスプールを備えている。トリマーラインは、摩耗すると、インターナルスプールから取り替えられる。バンプ・フィードトリマーヘッドでは、短い長さのラインが、トリマーヘッドの底部が硬い面に接触したり「衝突したり」するとき、スプールから解放される。オートマチック・フィードトリマーヘッドでは、短い長さのラインは、操作者が地面にトリマーヘッドの底部を手動で打ち付けたり衝突させたりさせることなく、スプールから解放される。先行技術には、巻き付けられたトリマーラインをトリマーヘッドのインターナルスプールからリリースするのを調整する様々な機構が存在している。バンプアクティブ化型のトリマーヘッドは、コリンズの「フレキシブルライントリマー用ラインヘッド」という発明の名称で米国特許第５８８１４６４号に例示されている。オートマチック・フィードトリマーヘッドは、エバーツの「ライントリマー用オートマチックヘッド」という発明の名称で米国特許第５０６０３８４号に、エバーツの「オートマチックライントリマーヘッド」という発明の名称で米国特許第５１０９６０７号に、及びムトウの「フィラメント型刈払機」という発明の名称で米国特許第４５６６１８９号に例示されている。
【０００６】
従来のようなトリマーヘッドに係る一番の問題は、再取り込みの１つである。新しいトリマーラインをトリマーヘッドに補充し再取り込みするためには、一般に、トリマーヘッドは分解され、そしてインターナルスプールは取り外さなければならない。この処置は多くの住民には難しすぎて、しばしばうまく完了したり、一様に試みたりすることができない。
【０００７】
バンプ・フィードトリマーヘッドにしばしば起こる他の共通の問題は、スプール上でストリングがねじれる問題である。たいていのバンプ・フィードトリマーヘッドは、トリマーヘッドの両サイドから延びる２つの長さのトリマーラインを備えている。バンプ・フィードトリマーヘッドは、遠心力によってスプールからトリマーラインを引っ張っている。もしトリマーラインがもつれたり、ねじれたり、その後の巻き取りに埋もれたり、または熱で融着したりすれば、トリマーラインは適正に分配されない。更にまた、トリマーヘッドは分解されなければならず、トリマーヘッドが設定通りに再び作動するには、トリマーストリングがほどかれ再度適切に巻き付けられなければならない。また、トリマーストリング供給量が消耗されるといつも、トリマーヘッドは手作業で分解されなければならない。スプールが取り外されて、新たな供給量のトリマーラインで再び巻きつけられる。更にまた、スプールはトリマーヘッドに組み戻される。この処置は困難で、重労働で、且つ非常に作業時間を要する。
【０００８】
従来のオートマチック・フィードトリマーヘッドに係る他の問題は、必要なときにトリマーラインをスプールから引っ張るリリース機構の複雑さと信頼性である。多くの住民が証言するように、ストリングトリマー装置ではトリマーラインを解放する機構が最初に動かなくなる。
【０００９】
幾つかの先行技術トリマーヘッドのその他の不利益は、一方向にだけ回転するように設計されていることであり、即ち、トリマーヘッドは時計回りトリマー又は反時計回りトリマーに装着されるようにのみ設計されており、両方に装着されるように設計されていない。従って、時計回りトリマー用に設計されたトリマーヘッドは、反時計回りトリマー上では作動しないかもしれない。また、時計回りトリマーヘッドの幾つかのパーツは、反時計回りトリマーヘッドの幾つかのパーツと交換することはできない。これより、トリマーヘッド製造業者は、時計回りトリマーヘッド用と反時計回りヘッド用の２セットの製造ツールを作成することが要求されている。よって、トリマーヘッドの製造に係る費用はかなり増えることになる。更に、各トリマーヘッドのデザインは、時計回り回転用と反時計回り回転用の２つの異なるモデルを備えることになる。
【００１０】
そのため、必要とされるときにトリマーラインを供給し、費用はあまりかからないが信頼のできる機構からなるストリングトリマーの必要性がある。またトリマーラインがもつれたり、ねじれたり、結びつかないようにトリマーラインを供給するストリングトリマーの必要性がある。更に、新しいストリングを追加するのに分解しなくてもよいトリマーヘッドの必要性がある。最後に、数操作のパーツで安価に製造することができ、且つトリマー装置に双方向のトリマーヘッドの一方向としてどちらかを操作できるトリマーヘッドの必要性がある。
【先行技術文献】
【特許文献】
【００１１】
【特許文献１】米国特許第５８８１４６４号公報
【特許文献２】米国特許第５０６０３８４号公報
【特許文献３】米国特許第５１０９６０７号公報
【特許文献４】米国特許第４５６６１８９号公報
【発明の概要】
【００１２】
本発明は、トリマーヘッド組立品及びトリマーヘッド組立品の形成方法に関する。トリマーヘッド組立品はストリングトリマー装置に取り付けられる。トリマーヘッド組立品は、トリマーヘッド組立品が回転して草木と接触するとき草木を刈る長さのトリマーラインを保有している。
【００１３】
トリマーヘッド組立品は、ストリングトリマー装置に付随するハウジングを備えている。スプールは、ハウジングの内側に設けられる。スプールは、回転軸の周りを回転する。スプールは、少なくとも第１の位置と第２の位置の間で回転軸に沿って長手方向に移動できる。ラチェット機構及びインデックス機構は、トリマーヘッドハウジングとスプールとの間に設けられる。スプールが第１の位置にあるとき、ラチェット機構は、スプールをトリマーヘッド組立品がスピンするのとは逆の方向に回転軸の周りを連続又は不連続に回転するのを可能にする。ラチェット機構は、また、意図しないときスプールがハウジング内でどちらかの方向に回転するのを防止し、十分なトルクがかかったときトリマーライン巻き取り方向へ回転させるのみである。
【００１４】
ラチェット機構を利用すると、単にトリマーラインをスプールに固定してスプールを手動で回すだけで、新しいトリマーラインはスプールに巻き取ることができる。分解の必要はない。好ましくは、ラインをトリマーコアに巻き付ける前に、ストリング／ラインは一方のアイレットから他方のアイレットに一直線に（「貫通」）供給される。
【００１５】
運転中、アクティブ化機構は、スプールをハウジング内の第１の位置から第２の位置へ瞬間的に移動させるために設けられている。アクティブ化機構は自動であってもよいし、或いはバンプがアクティブ化されてもよい。第２の位置に一旦あるとすぐ、インデックス機構は少しの長さのトリマーラインがスプールから巻き戻されるようにスプールを回転させる。
【００１６】
本発明の目的は、安価で、信頼でき、且つ目的を達成するのに十分に効果のある装置において、改良された構成要素及びその配置を提供することである。
【００１７】
本願の目的において、「双方向に操作可能なトリマーヘッド」は、（後又は先に）トリマーヘッドスプールに巻かれたラインと組み立てられ、時計回りトリマー装置か反時計回りトリマー装置のどちらかに取り付けられるトリマーヘッドと定義され、スプールがトリマーヘッドとは無関係な方向に回転して一定の長さのラインを外方に分配するので、トリマーヘッドが目下時計回り又は反時計回り方向のどちらに回転しているかに関係なくアクティブ化されると、トリマーヘッドはラインを外へ向かって分配する。バンプアクティブ化型トリマーヘッドでは、ラインの遠心力がスプールの回転力に勝り、たとえスプールの回転方向がラインの分配中のトリマーヘッドの回転方向と反対で、そして両方が同じ方向に回転しているときにスプールの回転速度がトリマーヘッドの回転速度より速くても、一定量のトリマーラインを解放する方向に回転させることができる。「巻き取りトリマーヘッド」は、トリマーラインをスプールに巻き付けられたトリマーヘッドと定義される。
【００１８】
本発明の目的は、時計回り又は反時計回りトリマーヘッド用として同じ組み立て巻き付けのトリマーヘッドを取り付けるための双方向に操作可能なトリマーヘッドを提供することにある。
【００１９】
本発明のこれらのそして他の目的は、以下の発明の詳細な説明の記載及び添付図面により容易に明白にされる。本発明のこれらの目的は網羅的ではなく、クレームされた発明を限定するものと解すべきものではない。また、本発明の実施態様の何れもが本発明の上記目的を全て含んでいる必要はないと解されなければならない。寧ろ、与えられた実施態様は上記目的の１つを含むか或いは全く含んでいなくてもよい。従って、これらの目的は本発明の請求の範囲を限定するのに用いられるものではない。
【図面の簡単な説明】
【００２０】
【図１】図１は、本発明の第１の実施形態によるトリマーヘッドの断面図である。
【図２】図２は、図１のトリマーヘッドの数個の構成要素の分解組み立て図である。
【図３】図３は、図１１のトリマーヘッドスプールの斜視図である。
【図４】図４は、図１のトリマーヘッドの組立分解図である。
【図５】図５は、図１のトリマーヘッドの別の断面図である。
【図６】図６は、中央フランジを備える第３の実施形態によるトリマーヘッドの図を示す。
【図７】図７は、中央フランジを備える第３の実施形態によるトリマーヘッドの図を示す。
【図８】図８は、中央フランジを備える第３の実施形態によるトリマーヘッドの図を示す。
【図９】図９は、フランジのないスプールを備える別の実施形態によるトリマーヘッドの図を示す。
【図１０】図１０は、フランジのないスプールを備える別の実施形態によるトリマーヘッドの図を示す。
【図１１】図１１は、フランジのないスプールを備える別の実施形態によるトリマーヘッドの図を示す。
【図１２】図１２は、フランジのないスプールを備える別の実施形態によるトリマーヘッドの図を示す。
【図１３】図１３は、スプールのボトムフランジに通路を備える別の実施形態によるトリマーヘッドの図を示す。
【図１４】図１４は、スプールのボトムフランジに通路を備える別の実施形態によるトリマーヘッドの図を示す。
【図１５】図１５は、本発明の少なくとも１つの実施形態と共に使用される複数の通路を備える別のスプールを示す。
【図１６】図１６は、非円形スプールを備える別の実施形態によるトリマーヘッドの図を示す。
【図１７】図１７は、非円形スプールを備える別の実施形態によるトリマーヘッドの図を示す。
【図１８】図１８は、非円形スプールを備える別の実施形態によるトリマーヘッドの図を示す。
【図１９】図１９は、非円形スプールを備える別の実施形態によるトリマーヘッドの図を示す。
【図２０】図２０は、非円形スプールを備える別の実施形態によるトリマーヘッドの図を示す。
【図２１】図２１は、本発明の少なくとも１つの実施形態と使う中央フランジの代わりにスポークを備える別のスプールを示す。
【図２２】図２２は、本発明の少なくとも１つの実施形態と共に使用する複数の通路を備える別のスプールを示す。
【図２３Ａ】図２３Ａ、本発明の少なくとも１つの実施形態と共に使用する複数の通路を備える別のスプールを示す。
【図２３Ｂ】図２３Ｂは、本発明の少なくとも１つの実施形態と共に使用する複数の通路を備える別のスプールを示す。
【図２４】図２４は、スプールの中央を貫通する組立ユニットの通路を備える本発明の別の実施形態によるトリマーヘッドを示す。
【図２５Ａ】図２５Ａは、本発明の少なくとも１つの実施形態と共に使用する様々な通路を備える別の組立ユニットを示す。
【図２５Ｂ】図２５Ｂは、本発明の少なくとも１つの実施形態と共に使用する様々な通路を備える別の組立ユニットを示す。
【図２５Ｃ】図２５Ｃは、本発明の少なくとも１つの実施形態と共に使用する様々な通路を備える別の組立ユニットを示す。
【図２５Ｄ】図２５Ｄは、本発明の少なくとも１つの実施形態と共に使用する様々な通路を備える別の組立ユニットを示す。
【図２５Ｅ】図２５Ｅは、本発明の少なくとも１つの実施形態と共に使用する様々な通路を備える別の組立ユニットを示す。
【図２６Ａ】図２６Ａは、図２４のトリマーヘッドの各々の部品を示す。
【図２６Ｂ】図２６Ｂは、図２４のトリマーヘッドの各々の部品を示す。
【図２７】図２７は、図２４のトリマーヘッドの各々の部品を示す。
【図２８Ａ】図２８Ａは、本発明の少なくとも１つの実施形態に使うボトムフランジを貫通する通路を備える別のスプール配置を示す。
【図２８Ｂ】図２８Ｂは、本発明の少なくとも１つの実施形態に使うボトムフランジを貫通する通路を備える別のスプール配置を示す。
【図２９】図２９は、本発明の少なくとも１つの実施形態に使うスプールのフランジを貫通する通路を備えていない別のスプール配置を示す。
【００２１】
添付図面を通して、同じ符号が対応する構成に一貫して付されている。
【発明を実施するための形態】
【００２２】
本発明は、ストリングライントリマー用の貫通フィードトリマーに関する。
【００２３】
図１〜図４はストリングトリマー装置（図示しない）と共に使用するトリマーヘッド１０の第１の実施形態の断面図を示す。トリマーヘッドは、フォームや仕様書では、必要に応じてボルト、ナット又は他の締結具１２によってストリングトリマー装置駆動軸アーバー（延長部を含む）（図示しない）に固定され、各アーバーに随時嵌合している。一般に、締結具のねじ切り方向は、駆動軸の正転中、締結具がアーバーから緩むより締まりやすいように選ばれている。締結具１２は、トリマーヘッド１０を駆動軸と一体に回転させて、トリマーヘッドから半径外向きにトリマーヘッドライン１４を駆動させている。トリマーヘッドライン１４は、当分野ではよく知られており、プラスチックや他の材料で作成され、高速度で回転して草、雑草、又はラインが接触するブラシを刈り、そして多くの線直径で利用できる。ジョージアリスによる２０１１年９月２７日発行の米国特許第８，０２５，２４９号は、ストリングトリマーヘッドのこのような形状や作用の一つを示し、特許は参考により織り込まれる。
【００２４】
上側ハウジング２１は、締結具１２を受け止め（又はとして作用する）、締結具がハウジングに対して回転するのを防止する非円形の「鍵型」チャンバ２３（図４）からなる。チャンバ２３は、八角形のものが示されているが、その形状はハウジングをアーバーに連結するために使われる締結具に適応させて選んでもよい。締結具は、一般にはボルト又はナットであり、正逆のねじ切りである。
【００２５】
コア１６は、トリマーヘッド１０内に設けられ、トリマーラインがトリマーヘッドに巻き付けられるときトリマーラインを受け取る。コアは、ハウジングに対して選択的に回転することができる。一対のアイレット１８は、外部ハウジング２０に設けられ、トリマーラインをハウジングの内部に挿入させる。アイレットは、互いに１８０度離れているのが好ましいが、場合によっては、１８０度以上でも以下でもよいし、アイレットの数を増減するものであってもよい。アイレットは、アイレット内のライン１４がアイレット周り又はアイレットを通って移動させられるので、すり切れに耐える金属ガード又は他のスリーブを備えていてもよい。
【００２６】
コアは、内壁２２によって境界が定められる中央の孔又はチャンバを備えているのが好ましい。トリマーコア１６は、中央を貫通する案内通路（「チャネル」）２４を備えているのが好ましい。通路２４は、トリマーラインを供給するためにハウジングの一対のアイレット１８の１つと選択的に一列になる（或いは相対的に位置する）第１の開口部と、第１の開口部が第１のアイレットと一列になるとき第２の一対のアイレット１８と一列になる第２のチャネル開口部とを備えるのが好ましい。チャネルとアイレットの配置により、トリマーラインをトリマーヘッドに供給するとき、トリマーラインは第１のアイレットから第１のチャネル開口部を通り、チャネルを通って供給され、第２の開口部と第２のアイレットを通って送り出される。コア１６とハウジングが一列になってラインを受け取る準備が整ったときユーザーが気づくように、トリマーヘッドの外側から視認可能なインジケータ３１（図４）を設けてもよい。好ましい実施態様では、インジケータはノブ上にあり、トリマーヘッドの下から視認可能である。
【００２７】
図２は、トリマーヘッドのコアの好ましい形状を示す。トリマーヘッドにトリマーラインを巻き付けたり解放したりするために、ラチェット機構とインデックス機構が設けられる。ラチェット機構は、トリマーラインを巻き取る第１の機構からなる。図面は、貫通するトリマーライン１４とトリマーヘッドコア１６を示す。コア１６とかみ合って回転させるノブ３０は、コアの下側に示される。外部ハウジング２０の一部を形成する下側ハウジング３２は、ノブの下側に示される。ノブ３０は、コア１６の嵌合レシーバー内に受け取られる多くの好ましくは非円形アーム／スプライン３４を備え、必要なときにノブとコアを確実に一緒に回転させている。下側ハウジング３２は、ハウジング２０の上側半分と協同して下側ハウジングの開口部３３を貫通するノブ３０の一部で、内方のノブとコアをしっかり固定する。上側ハウジング２３と下側ハウジング３２は、多くの方法又は機構によって連結されてもよいが、好ましくは互いに締まり嵌めするフレキシブルアーム／フィンガ２５と協同孔２７のようなクイックリリースシステムによって連結される。
【００２８】
さらに、コアと上側及び下側ハウジングは協同して、トリマーラインを供給し放出制御するインデックス機構とラチェット機構を形成している。図１に示される位置では、アイレット１８とチャネル２４は一列になり、１本のトリマーライン１４をコアから外部ハウジングを通って供給して反対側に取り出させる。ノブ３０は回転させられ、コア１６にラインを巻き取る。コアは、コアに巻き取られるトリマーライン用下側チャンバ５７の上側と下側の境界を形成する上側ディスク３６と下側ディスク３８を備えている。上側チャンバ５９は、上側ディスク３６と後述するハウジングのシェルフ６１によって形成される。図３に示すように、供給チャネル２４の開口部４０は、ラインをコアに向ける側に開口している。コアが図３において時計回りに回転するとき、ラインはハウジング２０外ラインに作用する摩擦、慣性及び他の力による回転に抵抗する。コアはトリマーライン入口から離れ、そして内壁４２は、コアが回転し続けると、トリマーラインを引き始める。それからラインは、コア１６の内壁４２を包みながら、ハウジング内に引き込まれ始める。ユーザーがノブ３０でコアを回転させ続けると、下側ディスク３８上の歯が回転する。多くのランプ４６は、下側ハウジングに配置され、ストリングトリマー装置の正常な作動中、ハウジング内の歯の回転を妨げている。スプリング５０は、コア上に設けられコアを下側へ偏らせているが、事前選択された力でコア（及び取り付けたノブ）を軸方向移動させてもよい。
【００２９】
上記妨げの１つの効果は、ハウジングがストリングトリマーによって回転させられるときコアが「自由回転」できないことである。コアとハウジングは、トリマーラインが恒常的な長さに維持されるように、正常な運転中に共に回転することが望まれる。もしコアが回転を許可されたならば、コアに対してハウジングが回転するときトリマーラインは意図せずに巻きついたり巻き戻ったりしてしまうだろう。
【００３０】
ラインをコアに巻きつけ続けるために、ユーザーはノブに、コアの歯４４にランプ４６を超えさせるのに十分なトルクを与える。ランプは、適切な方向（例えば、時計回り、但し、当業者であれば、１つのランプを備えるか、又は２つの対立するランプを背中合わせに備えるかによって、ランプを時計回りのみ、反時計回りのみ、又は時計回りと反時計回りの両方向に回転させるように配置させることがきると知っている）の回転が歯にランプを上って越えさせるように、方向付けられる。（一方向のランプ形状に対して）反対方向に回転するとき、歯はランプの縦壁（又は他の同様の障害物）にぶつかって、トルクはノブと歯の更なる回転を促進させない。歯がランプを上ると、コア１６は圧縮スプリング５０を軸方向の上方に移動させる。歯がランプを上って越えると、スプリングは歯を次のランプと軸方向に整列させた状態で、コアを軸方向の下方に押しつける。このラチェット機構は巻き取り方向を調整し、そして一定量のラインのみを解放する調整も行う。一方向のラチェットは、ラインがコアに一方向に巻き付くだけで、ラインは「誤った」方向にコアを回転させることによって「もつれ」ないことを保証するという利点がある。
【００３１】
巻き取り中トリマーラインは、２つのチャンバ５７、５９の１つに押し込まれる。通路のサイドポート開口部４１は、ラインの個々の端部が下側チャンバ５７又は上側チャンバ５９のどちらで包まれるかを決定する。図３の正面に示されるように、前方のポート４１は、上側フランジ３６と下側フランジ３８（図３）によって拘束される下側チャンバ５９にラインを導入している。後方のポート４１（図２）は上側チャンバにライン１４を導入している。図２に示される本実施の形態の上側チャンバは、上側フランジ３６のかたわらの下端で、且つ、ハウジング２０の表面／シェルフ６１のかたわらの上端で結びつけられている。シェルフ６１は、スプールがハウジングに対して回転するとき、シェルフ上のトリマーラインの牽引や摩擦を削減するのに滑らかであるのが好ましい。チャンバの内壁は、好ましくは円形壁６５周りを回転するフランジのコアによって設けられる。同様に、スプールの下側縁部は、スプール又はスプールとノブの両方を包囲するハウジングの下側円形壁６７によって回転をサポートされながら回転してもよい（「アクティブ型機構」）。
【００３２】
先行技術で知られているように、ユーザーは、地面にストリングトリマーヘッドを軽くたたいて、一定量のストリングを解放する。本発明では、コア１６にストリング５０のバイアスに対して上方に移動させるハウジング（「軸方向上方」）にノブを押すことによって行われる。軸上の移動は、コア１６の歯４４をランプ４６上に上げるのに十分である。これはコア１６を解放して、ハウジング３２に対してどちらの方向にも自由にスピンさせている。（ハウジングに関連する）スピンの方向は、トリマーヘッドの方向ではなくて、トリマーライン１４に係る力やラインがコアに巻き付けられる方向によって調整される。その結果、トリマーヘッドに巻き付けられたラインの方向にかかわらず、時計回り又は反時計回りのトリマーヘッドに設けることができる双方向に操作可能なトリマーヘッドになる。トリマーヘッドが時計回り又は反時計回りのどちらにスピンしているかにかかわらず、トリマーラインにかかる力は、ラインにかかる遠心力がラインを外に向かって引っ張るときに、ラインを外に向かって引っ張るように作動する。外向きの力は、ラインを巻き戻すのに適切な方向にラインを引っ張り、そしてコアを回転させてラインを巻き戻すように作動する。歯は一時的にランプ４６の軸方向の上向きなので、コアは（ハウジングに対して）どちらの方向にも自由にスピンして適切な方向に移動し、トリマーヘッドの回転方向にかかわらずラインを巻き戻す。
【００３３】
トリマーヘッドの他の機能は、ラインを外向きに供給するとき、フリースピン中の回転量を調整することである。草や雑草のトリミング中にすり減ったり切れたりしたラインの取り替えに、わずかな量のラインのみを取り出すことが望ましい。ラインがもっと必要であれば、ユーザーはノブを再び「バンピング」して上記工程を繰り返すことができる。図示された実施態様におけるライン調整インデックス機能は、コアの上部に設けた多くの上向き突出部５２（「四角形歯」）によって行われる。１回のバンプで解放されるストリング／ライン１４の量は、ハウジング２０の上部２１のストップバー５４間の隙間によって調整される。コア１６は、突出部がコアの回転を止めるストップバーの１つにぶつかるまで、せいぜいフリースピンモードで回転してもよい。ノブにかかる圧力が解除されるとすぐ、コアはスプリング５０のバイアスで元の軸位置に戻り落下する。それからコアは、歯４４が妨害するランプと衝突するまで回転してもよい。ラインにかかる遠心力は、歯がさらにランプを上り、トリマーラインをスプールに納めるのを防止する。反対方向に回転する歯は、ランプの縦壁に衝突し、それにより更に回転するのを止められる。このように、ノブをバンピングするとコアはハウジングに対して自由にスピンするが、（双方向の）フリースピン量は歯５２とストップバーによって調整され、スプリングはコアを元の軸位置に戻している。ここは、ランプがコアにランプと歯の相互作用でランプを通り越して回転するのを防止する位置である。たとえ歯が止め具に当たらなくても、スプリングのバイアスが歯とランプを安全装置として作動する位置に戻して、意図しない量のラインが１度のバンプで解放されるのを防止する。
【００３４】
双方向の供給。トリマーヘッドの特徴ある構成により、ラインがトリマーヘッドに一旦巻き付くと、トリマーヘッドは、トリマーヘッドがどちら方向に回転しても、ラインを適切に供給することができる。一般に、トリマーラインは、地面にノブ／バンプがぶつかると、ハウジングに対してスプールを遅らせるようにトリマーヘッドに巻き付けられる。よってハウジングは、トリマーラインと接触するアイレットがスプールから一定長さのラインをほどくとき、スプールからラインをほどくように回転する。現行のトリマーヘッドはセパレートモードで、スプールがラインを外方へ「押す」ためにトリマーヘッドハウジングに対してスピードアップもできる。実際は、トリマーラインに張力を発生させるスプールにラインを引き寄せるのは、草、雑草、他の用具とラインとの摩擦接触と、ハウジングの外側の一定長さのラインからラインにかかる遠心力である。本発明の少なくとも１つの概念によって形成されたトリマーヘッドにより、スプールは短い間隔でハウジングに対して「自由に回転する」。この間隔で、ラインは実際に一定量のラインを解放するようにハウジングより速くスプールを引っ張ることができる。止め具の１つが不適当な量のラインを一度に解放されるのを防止するのが好ましい。スプールから外方へのラインの供給中、ハウジングに対してスピードアップ或いはハウジングに対してスローダウンさせ、スプールがトリマーヘッドの回転方向に因らずにトリマーラインを供給させることによりラインを解放する能力は、本願の課題に「双方向の供給」又は「双方向のライン供給」と定義される。双方向の供給ができるトリマーヘッドは「双方向に操作可能」である。トリマーヘッドへのラインの巻き付け方向は、スプールがトリマーハウジングに比べて遅いとき、トリマーラインを解放／供給するようにラインがスプールに対して巻き付けられる方向と定義される、即ち、トリマーラインをスプールに時計回りに巻きつけることは、ノブが地面に「バンプされ」ハウジングに対してスプールを遅らせるようにしたとき、スプールからラインを供給させることを反時計回りに回転するトリマーヘッドに許可する。バンプによりハウジングがスプールに比べてより速く反時計回りに回転するので、ハウジングがその長さのトリマーラインをほどいて、ハウジングのアイレットを通って外方へ一定長さのラインを供給することを許可するのである。
【００３５】
図５は、第１の実施形態の別の構成を示す。この形状において、下側ディスク３８の底部のラチェットは歯又はギヤによって形成され、下側ハウジング３２のランプ６２は内側に移動してギヤ６０の位置を調整する。当業者であれば、本発明の教示から、ラチェットの機能性部品（ストップバー、歯／ギヤ、及びランプ）が、必要に応じ、コアのどの面にも配置でき、本発明の範囲を逸脱せずに、巻き取りラチェットを提供する機能及びラインコントロール機能を行うということを認めるだろう。
【００３６】
図２４は、さらに進んだ実施形態による本発明の別バージョンを示す。スプール２４１６は、スプールとノブが協同回転するように、スプライン２４３４及びノブ２４３０上で協同するスロットや溝によってノブ２４３０にスプライン結合される。モジュールはスプールの通路２４４０と一列になり、１つのフランジ通路から他のフランジの通路に至るスプールのコアの範囲内でトリマーラインのルートを提供／調整する。図２６Ａ及び図２６Ｂは、結合されたスプール、ノブ２４３３、及びランプと歯の輪郭を示す。ランプ、止め具、歯はそれぞれ、スプールが特定の方向にスプールを巻き取らせるように、そして分配されるラインの量を調整可能にインデックスするように設けられる。図２４において、他の実施形態の何れとも使用できる構成は、スプール２４１６内に装着されるモジュール２４７０である。モジュールは、スプールと適切に整列するキー、歯、スプライン、溝、又は他の装置を備えてもよい。モジュールは、方向、経路、又はスプールへのモジュールの配置を変更するために逆にできるし回転することもできる。モジュールは、様々な経路内にラインを送るコアによる経路を調整するように、好ましくは他のモジュールと切り替え可能である。モジュールは、曲がった経路２４７２（図２５Ａ及び図２５Ｂ）を提供することによって、又は中心２４７０（図２４）を貫通させるために、例えば駆動軸、ボルト又は（もしあるなら）他の同様の装置周りのルーティングのような柔軟性を提供する。フランジ（又は翼）を通る経路の形状によって、経路を追加して使用することもできる。図２５Ｃは、対応するスプールフランジ（図示せず）を通って導入される一方だけが曲がった経路２４７４を示す。図２５Ｄは、貫通する螺旋状の非放射状通路（図示しない）を備える対応スプールフランジにつながるモジュール２４７６の中心を通る螺旋通路を示す。図２５Ｅは、２つのモジュールチャネルのそれぞれに対応する通路（図示しない）を備える協同フランジを通って１〜２のトリマーラインを選択的に使用する多くの通路を備えるモジュール２４７８を示す。図２７はスプール２４１６内に装着されたモジュール２４７０を示す。
【００３７】
図２８Ａ及び図２８Ｂは、図１の実施態様と同様に本発明の実施態様を示しているが、チャネル２８４０は上側フランジ４０の代わりに下側フランジ内に設けられている。当業者であれば、ハウジング２８１８のアイレットは上側フランジの代わりに本実施態様における下側フランジと一列になることを認めるであろう。好ましくは歯２８４４もまたボトムフランジからトップフランジに置き換えられる。
【００３８】
図６〜図８は、ラチェット構成要素の様々な配置の例からなり、上側及び下側チャンバにトリマーラインを分ける中央フランジを備える本発明の別の実施態様を示す。図６において、トリマーヘッド１１０の中央コア１１６は、ハウジングの上部１２１に設けられた多くの止め具１５４（図７）と協同する上側ディスク１３８上の多くの歯１５２を備えている。コア１１６上のフォロア１４４と下側ハウジング１３２上のランプ１４６は協同してトリマーライン巻き取りラチェットを形成する。スプリング１５０は上記した適切な軸位置にコア１１６を偏らせる。本実施態様において、ノブ１３２はコア１１６の不可欠な部分として形成されるのが好ましい。
【００３９】
コア１１６は、２つの分けられたチャンバ内にコア１１６の一定量のトリマーラインを受け入れる別の構成を備えている。トリマーラインを分けることによって別々のチャンバに左右のアイレット１１８を通って供給されるので、ライン同士がもつれることはなく、ラインが”融合”するのを避けることができる。トリマーラインは、例えば「釣り糸」より太くて硬くできるので、ラインはトリマーヘッド内で真っ直ぐになって（非スプール）使うときにぴんと張ることができる。これらのサイクルにより、ラインは自身に巻き付いたり、摩擦熱で結合／融合したりもする。ラインを分けるとこれらの問題の発生機会を減らすことができ、作動中のラインの取り出しの容易性と信頼性を増すことができる。２つのチャンバへのラインの巻き取りを容易にするために（チャンバ上に全てのラインを送り込む代わりに）、中央フランジ１３７の両側の開口部１４０はフランジの異なる側に開口している。一方の開口部は、フランジ１３７上に開口する口１４１を備え、上側ディスク１３６とフランジ１３７との間に形成されたチャンバにラインを取り込んでいる。反対側の開口部４０は、フランジ１３７の底部に向かって開口する口と鏡像であり、フランジ１３７とディスク１３８によって形成されるチャンバにラインを取り込んでいる。
【００４０】
作動において、ノブ１３０は回転して、フォロア１４４にランプ１４６を上って越えさせ、コア１１６をハウジング１２１、１３２に対応して回転させる。コアの回転により、トリマーヘッドライン供給チャネル開口部４０を通りハウジングアイレット１１８を通って供給され反対側のアイレットに取り出されたラインは、コア１１６に巻き付けられる。開口部１４０の口の様々な配向により、ラインの別の部分はフランジ１３７の上下に形成された個々のチャンバに巻き込まれる。トリマーラインが送り出されてラインの活動中の刃部の長さを増やすよう要求されるときは、他の面の地面にノブを打ち付けて（「バンプ」）使用される。バンプによってフォロア１４４がランプ１４６の上に上がり、トリマーラインの遠心力によってラインがコアに拮抗して引かれて、トリマーヘッドの総体的な回転方向にかかわらずラインを外方へ供給するために必要な方向（ハウジングに対する）にコアを回転させている。ハウジングに対するコアの回転は、止め具１５４を打ち付ける歯１５２によって抑えられ、ノブ１３０の１回の「バンプ」の間に供給されるラインの量を調整する。
【００４１】
図９〜図１２は、フランジのないコアを備え、かつ幾つかのラチェット構成要素をコアから分かれたノブに分配する別の実施態様を示す。図９は、トリマーヘッド２１０の分解図を示す。コア２１６は、ノブ２３０にノブとコアをしっかりと協同回転させる、対応スロット２３５に噛み合ったアーム／スプライン２３３によって回し連結される。ノブとコアとバイアススプリング２５０は、下側ハウジング２３２と上側ハウジング２２１の間に配置され偏らされる。多くの四角歯２５２は、上記したようなフィード調整（「インデックス」）機構を形成するために、上側ハウジング２２１上の対応する止め具と協同し、トリマーヘッドノブ２３０の「バンピング」中に取り出されるラインの量を制限する。
【００４２】
上側ハウジング２２１は、コアの外壁を受ける案内壁２５３（図１２）を備えている。案内壁は、多くの働きをする。まず、コア２１６をハウジング内の中心に位置させる。ノブ２３０を下側ハウジング２３２の中心に、そしてコアを上側ハウジング２２１に位置させて、コアとノブは、ハウジング内で固定軸まわりに確実に回転するよう案内される。さらに、案内壁により四角歯２５２は、上記したようにストップバー２５４と一直線になる。止め具と歯は、「バンピング」中、コアの自由回転量を制限してラインの制限量をバンプ毎に分配する。上側ハウジング２２１の壁２４９は、コアが壁２４９の近くに回転できるようにコア内に設けられている（例えば、図１参照）。これにより、ラインは、上側ハウジング壁２４９周りの代わりにコアの上部周りに巻きつき、コアがハウジング２２１に独立して回転するときラインの摩擦を減らしている。
【００４３】
下側ハウジングは、ラチェット機能を提供するためにランプ２４６（図１１）と協同する多くのフォロア２４４からなり、ハウジングに対するコアの意図しない回転を防止しながらコア２１６にトリマーラインを巻き付けている。作動において、スプリング２５０は、コアを下方へ偏らせる。コア２１６は、ノブを押さえつけ、ランプ２４６とフォロア２４４を軸配置させる。コアの回転は、ランプがフォロアと噛み合うまで、ノブを回転させる。ノブにかかるトルクが増えれば、ノブ２３０を手動で回すことによって、スプリング２５０の偏りに拮抗してランプを上らせる。十分なトルクがかかると、ランプはフォロア２４４を通り越し、そしてスプリングはラチェット状動作でフォロアと合致するように押し戻す。ランプにフォロアを通り越させる回転により、コアはコア周りに追加のラインを巻き付けるようにハウジングに対して回転することができる。ラチェット機構の軸間隔は、ランプがフォロアを越えるときノブが移動する高さが、四角歯２５２をストップバー２５４と係合させるのに不十分なものでもよく、そのために、止め具は、ノブが回転しているときコアへのラインの巻き付け中、コアの回転に支障をきたさなくなる。
【００４４】
コア２１６自身は、フランジレスである。コアにラインを巻きつけるために、上側若しくは下側ディスク、又は中央フランジは必要ない。コアは、トリマーライン供給チャネル２２４の長さを１つのアイレット２１８からもう一方まで延ばす多くのアームを備えている。チャネルは、反対の開口部４０で終わる。チャネルの一方の開口部は、上向きに開口する口４１を備え、他方の開口部は、下向きに開口する口を備えている。上向きに供給されたラインは、アーム２１７と上側ハウジング２２１によって連結されたハウジング領域に入る。案内壁２５３は、ラインがコアの上端で回転するコア又は四角歯２５２を干渉したり或いはもつれたりするのを防止する。下向きに供給されたラインは、アーム２１７によってそして下側ハウジング２３２によって結びつけられたハウジングの領域に入る。コアが再びアイレットを超えて回転するときに入る追加のラインは、ラインが既にハウジング内にあるラインの長さだけアイレットを引き上げたり引き下げたりするので、アーム２１７の上下の適切な領域に巻きつき続ける。チャネルの開口部の壁２４９がアーム上に延びる距離は、例えば、ラインをアーム上に引き上げる（必要に応じ引き下げる）方向にラインのその部分が既に偏らされているので、もっと先のラインもまたアームを超えて導入されるのを確実なものとする助けになる。このように、コアは、トリマーヘッドハウジング内でラインの順番通りの貯蔵や保持を調整するためにトップ、ボトム又は中央のフランジを必要としない。
【００４５】
図２１は、中央フランジを備えないで、上側フランジと下側フランジを備える本発明の別の実施態様を示す。スプール２１１６は、上側フランジ２１３６と下側フランジ２１３８とを備えている。これは、例えば、図６のスプールの代わりに用いられる。適切な歯、ランプ及び／又は止め具は、必要に応じて、ハウジングのランプ、歯又は止め具と噛み合うように設けてもよい。バンプノブ（図示しない）は、スプールの底部で噛み合うように設けてもよいし、スプールと一体的に設けてもよい。作動において、開口部２１４０を通って供給されたラインは、他方側を通ってハウジングの開口部（１１８、図６）に供給される。
【００４６】
スプールが回転すると、ラインは、スポーク又は翼２１１７の側部開口部２１４１から入って、スプールの中央壁２１１１周りに巻き付く。チャネル開口部２１４１が翼２１１７の最上部又は最下部に開口しているかどうかに応じて、スポークがラインを最上部又は最下部の開口に分けるように作動するので、フランジは必要ない。実際に、次の回転中、トップチャンバにおけるラインは、スポーク２１１７の最上部２１１９上に誘導され空間を割り当てられる。スポークはフレアーになって（径方向に拡がって）いて、ラインが適切な方向で巻きつくのを助けている。これは、トップチャンバで巻き付くように翼上に次のライン分を引くように作動する。ボトムチャンバにおけるラインは、同様にボトムチャンバで巻き付いている。トップ及びボトムフランジは、スプールにラインを保持するように作動する。補助的なスポークや翼は、スプールのコアの近くに設けられる。これらの補助的なスポークや翼は貫通する通路を備え、追加のトリマーラインが、スプールを通る最初の通路が断線などによって塞がれた場合に、代わりの通路として使用されるか或いは使用することができる。補助的なスポークはまた、貫通する通路（図示しない）なしで設けられ、ラインがライン調整スポークとして適切なチャネルに巻きつき続けるのを助ける。スプールは、その他の点で図６のものと同様に作動する。
【００４７】
図１３−１４は、本発明のさらに別の実施態様を示す。図１３は、ボトムフランジを備えていないコア３１６を利用するトリマーヘッド３１０の断面図である。図１４に見られるように、コア３１６は、貫通ライン供給型チャネル３２４を具備する中央フランジ３１７を備えている。上側ディスク３３６（図１４）は、上側ハウジング３２１に止め具３５４と協同する歯３５２を運び、トリマーライン分配調整機構を形成している。チャネル３２４は、一対の対向する開口部３４０で終わる。一方の開口部は、トリマーラインを上側ディスク３３６と中央フランジ３１７との間に形成されたチャンバに偏らせている。反対側の開口部は、トリマーラインの断片をフランジ３１７と下側ハウジング３３２の内部との間に形成されたハウジングの領域とノブ３３０に向けて下向きに偏らせる口を備えている。ノブは、上面（「シェルフ」）３３９を備えて、たまったラインが回転中に意図しない領域に拡がるのを防止し、そしてラインを受け入れる下側チャンバを明確にしている。コア３１６の下側筒状部３７４をノブに届くように設け、コアをノブに固定し、そしてトリマーヘッドの中心軸回りのコアの回転を促進させるようにしてもよい。コア３１６とノブはスロット３７０と溝３７２によってコア延長部３７４に一緒に固定されているので、ノブとコアが一緒に回転すると、ラインは上面に支えられている。トリマーラインを解放するために、ノブ上のランプ３４６は下側ハウジングのフォロアと協同して（図９、符号２４４参照）、上記したようにトリマーラインをコア３１６に巻き付ける。
【００４８】
図１５は、２つ以上のトリマーヘッド供給チャネル４２４（「通路」）を備えるトリマーヘッドの別の実施態様を示す。コア４１６は、多くの供給チャネル４２４を提供する。チャネルは、１つのチャネル４１７を通って供給されるラインがコア４１６の第２のチャネルの外へ出るように、コア４１６の中央モジュール４２２の通路４２０によって対向する或いは隣接するチャネルに連結されてもよい。図参照。同時に供給できるラインの数は、外方のハウジングのアイレットの数によって１本のラインに調整され（例えば図１参照）、一般には、１本のラインだけである。しかし、１つのチャネルが断線や断片などによって塞がれる場合など様々な理由で、追加のチャネルをコア４１６に設けるのが望ましいかもしれない。さらに、チャネルは、異なる型／径のトリマーラインを受け入れるために、又は他の目的のために設けることができる。チャネルは、お互いに連通するように途中で交差することができ、或いは１以上のチャネルがそれぞれお互いを越えて渡るように僅かに曲がっていてもよい。コア４１６の要望に応じて、各チャネルの開口部は、全てのラインを１つのチャンバに入れさせるか、或いはチャネルの両側に分けさせることができる。チャネルは、必要に応じて、同じ又は別の形状に形成することができる。複数のチャネルは、中央フランジ、トップ若しくはボトムディスク又はフランジなしコアに設けることができる。図２２は、中央フランジに４つのチャネル／通路２２１７を備える同様の４つのチャネル・スプール２２１６を示す。好ましくは、通路の対向端のチャネル開口部は、同じチャンバを通って２つのトリマーラインの巻き取りを分けている。
【００４９】
図２３Ａ及び図２３Ｂは、トップフランジ及びボトムフランジに通路２３１７をそれぞれ備えているスプール２３１６を示す。スプールとトリマーハウジングは、同時にトップ及びボトムフランジの両方に通路を備えるように形成され、１つの通路が塞がれたときに、多数のトリマーラインの付属品用に提供したり、トリマーラインの代わりの取付場所を提供したりする。中央フランジは、トップフランジからのトリマーラインの両端部がトップチャンバに貯えられ、そしてボトムフランジのからのトリマーラインの両端部がボトムチャンバに貯えられるように設けてもよい。
【００５０】
図２９は、スプール２９１６の別バージョンを示す。この実施態様では、中央フランジを貫通するパス／チャネル／通路はない。その代わり、２つのトリマーラインがスプールを通ってそれぞれお互いから９０度に延ばされるように、スプールを貫通する２つの通路がある。各通路は、通路の各端部に終端開口部／孔２９４０を備えている。スプールのコアの開口部２９４０は、ラインが上側チャンバに巻き込まれるか、或いは下側チャンバに巻き込まれるかを決定する。好ましくは、通路の対向端の孔は同じチャンバに入って、２つのトリマーラインの巻き取りを分ける。この設計の障害は、ラインがアイレットを通りそしてスプールを通り抜けるために人工的な助けを必要とすることである。これは、ストローの使用若しくは他の装置を含む幾つかの方法、又はトリマーヘッドを分解することによって達成することができ、ラインを適切に通すことができる。これらの理由で、この設計は他の設計ほど好ましくないが、例えば、低価格で達成できるかもしれない。
【００５１】
図１６〜図２０は、非管状コアからなる本発明の少なくとも１つの概念による追加の実施態様を示す。図１８は、トリマーヘッド５１０の断面図である。トリマーヘッド５１０は、コア５１６（図１６）つき上側ハウジング５２１（図１９）及び下側ハウジング５３２（図２０）、その中のスプリング５５０及びノブ５３０（図１７）からなる。
【００５２】
上側ハウジング５２１は、締結具を支えるキーチャンバを備えて、トリマーヘッド５１０をストリングトリマー装置のアーバーに連結する。ハウジング内部は、壁周りに多くのスペーサー５１９を介して作られ、コア５１６がハウジング内で中心軸回りに回転するようにフランジ５１７の外径を支えている。即ち、コアは過度なぐらつき等なしに回転できる。ハウジングは、トリマーライン５１４がハウジングに加えられたり取り除かれたりするとき、金属又はプラスチック製のガード又はスリーブからなる多くのアイレット５１８を備えて、ハウジングの消耗を防止している。上側ハウジング５２１は、下側ハウジングに適切に連結されている。
【００５３】
図２０は、上側及び下側ハウジング間にクイックリリースコネクタを供給するために、上側ハウジング内の開口部５２７内に固定するフレキシブルコレット状フィンガ５２５を備える下側ハウジングを示している。フィンガ５２５を内側に押すと、フィンガはハウジングが上側及び下側のハウジング部分に分けられるように開口部５２７から外れる。同様に、ノブ５３０は、コアの開口部５７６内で協同するフィンガ７６で、又は他の締結具若しくはネジでコア５１６に固定させてもよい。ノブのキー５７８の壁は、コア５１６の底部の開口部に適合するように作られる。開口部は、ノブがコアに対して回転しないようにノブをしっかりと支えるために、好ましくは、コアの内部壁５７８と同じ形状と大きさをしている。当業者であれば、本発明が、ノブのキーやコアの対応する開口部に選択された形状にかかわらず、それらがお互いに協同する限り、実行できると理解しているだろう。
【００５４】
コアは、トリマーライン５１４の入ってくる半分をディスク５３８とフランジ５１７との間に形成された下側チャンバに分ける中央フランジ５１７を備えている。フランジ５１７の上のトリマーラインは、フランジ５１７と上側ハウジング５２１との間の空間内に保持される。上記トリマーラインは、ハウジングの外側からチャネル５２４を経由してアイレット５１８から供給され、他方のアイレットから送り出される。それからラインは、ノブを回してコアに供給され、コア５１６を回転させてコアの周りにラインを巻き付けるのである。協同するランプ５４６及びフォロア５４４は、ハウジングに対するコアの意図しない回転を調整し、同時に十分なトルクでノブを回した好ましい回転がランプに上記好ましい移動量に応じてフォロアを移動させる。
【００５５】
本実施態様は、好ましくは、止め具及び歯又は四角歯を備えるインデキシング方式を含まない。止め具は、幾つかの実施態様で利用されており、ノブの「バンプ」ごとにアイレットを通って供給されるラインの量を調整している。「バンプ」中に取り出されるライン量は、ランプとフォロアのみで十分に調整できることがわかっている。ノブが地面にトリマーヘッドのクイックタップでぶつけられたり押さえつけられたりするとき、コアが実際に回り始めるまでに少し時間のずれがあるかもしれない。スプリング５５０の反発力が適切に特定されてランプの数と位置がトリマーヘッドに組み込まれれば、コアを元の位置に押し戻しランプをフォロア上又はフォロア間に置くのにかかる戻し時間は、ランプがフォロアに当たりハウジングに対するコアの回転を止める前にコアを少し回転させるだけで十分である。このように、ラチェット方式のランプとフォロア部分のみの使用は、トリマーラインヘッドの巻き取り及び調整の両機能を行うのに十分である。
【００５６】
図示及び記載された本発明の実施態様は、単に代表的なものであって、当業者がそれらの実施態様に種々のバリエーションを行えるものと解される。例えば、歯突出部、ランプ突出部及び止め具突出部の数は、これらの構成要素の数を等しくしたままで変更することができる。同様に、バンプノブの形状、ハウジングの形状及びスプールの形状は、図示されていない様々な形状に変更することができる。このような実施態様は全て、請求項によって定義されるような本発明の範囲内に含まれることを意図している。実施態様はどれも、本発明の特徴の一部又は全てを含む必要はない。
【００５７】
本発明は好ましい設計として記載されたが、本発明の大概の要旨を引き継ぎ、本発明が属する技術分野において公知又は慣例になり、そして前記した中心的特徴に適用され、本発明の範囲や付加請求項の限定の範囲内に入るような本明細書からの逸脱を含む本発明の変更、使用及び／又は適応は可能であると考えられる。よって、本発明は上記実施態様のみに限定されるものではなく、以下の請求の範囲内の如何なるそして全ての実施態様を包含すると考えられる。
【図１】
2016538857.tif 000003
【図２】
2016538857.tif 000004
【図３】
2016538857.tif 000005
【図４】
2016538857.tif 000006
【図５】
2016538857.tif 000007
【図６】
2016538857.tif 000008
【図７】
2016538857.tif 000009
【図８】
2016538857.tif 000010
【図９】
2016538857.tif 000011
【図１０】
2016538857.tif 000012
【図１１】
2016538857.tif 000013
【図１２】
2016538857.tif 000014
【図１３】
2016538857.tif 000015
【図１４】
2016538857.tif 000016
【図１５】
2016538857.tif 000017
【図１６】
2016538857.tif 000018
【図１７】
2016538857.tif 000019
【図１８】
2016538857.tif 000020
【図１９】
2016538857.tif 000021
【図２０】
2016538857.tif 000022
【図２１】
2016538857.tif 000023
【図２２】
2016538857.tif 000024
【図２３Ａ】
2016538857.tif 000025
【図２３Ｂ】
2016538857.tif 000026
【図２４】
2016538857.tif 000027
【図２５Ａ】
2016538857.tif 000028
【図２５Ｂ】
2016538857.tif 000029
【図２５Ｃ】
2016538857.tif 000030
【図２５Ｄ】
2016538857.tif 000031
【図２５Ｅ】
2016538857.tif 000032
【図２６Ａ】
2016538857.tif 000033
【図２６Ｂ】
2016538857.tif 000034
【図２７】
2016538857.tif 000035
【図２８Ａ】
2016538857.tif 000036
【図２８Ｂ】
2016538857.tif 000037
【図２９】
2016538857.tif 000038
【国際調査報告】
2016538857.tif 000039